(57)【要約】 【課題】簡単な構成によりビスを確実に保持することができ、ビスの着脱時にビスの落下を防止することができるドライバーを提供する。【解決手段】ビス２０を収容して保持する筒状保持部材３をドライバー軸１に装着してあり、前記ドライバー軸１に雄螺子１ｂを形成すると共に、該雄螺子１ｂに螺合する雌螺子４ｂを形成した装着部４を前記筒状保持部材３に設けてある。【選択図】図１
2007181901.tif 000002
【特許請求の範囲】
【請求項１】
ビスを収容して保持する筒状保持部材をドライバー軸に装着したドライバーであって、前記ドライバー軸に雄螺子を形成すると共に、該雄螺子に螺合する雌螺子を形成した装着部を前記筒状保持部材に設けてなるドライバー。
【請求項２】
前記雄螺子及び雌螺子が右ねじである請求項１に記載のドライバー。
【請求項３】
前記雄螺子及び雌螺子のネジピッチを前記ビスのネジピッチと略同一に形成した請求項２に記載のドライバー。
【請求項４】
前記筒状保持部材の外周面に滑り止め部を形成した請求項１乃至３の何れかに記載のドライバー。
【発明の詳細な説明】
【技術分野】
【０００１】
本発明は、ビスを保持する保持部材を備えたドライバーに関する。
【背景技術】
【０００２】
従来、ドライバーによるビスの取付作業では、一般に、磁化したドライバー軸の先端部にビスを吸着させて行っている。このドライバー軸の磁石作用によるビスの吸着が不完全の場合には、一方の手でビスを支えながら他方の手でドライバーを回すために、狭い場所に手を挿入して傷つけたり、端子部に接触して感電したりする恐れがあった。これに対して、ドライバー軸にビスを保持する円筒状の保持部材を備えたドライバーは種々知られている（例えば、特許文献１乃至６参照）。
【０００３】
【特許文献１】特開２０００−１４１２３９号公報
【特許文献２】特開２００５−４６９５３号公報
【特許文献３】特開平１０−２０２５４９号公報
【特許文献４】特開平９−１７４４５０号公報
【特許文献５】特開平８−２５２４１号公報
【特許文献６】実開平７−１７４７３号公報
【発明の開示】
【発明が解決しようとする課題】
【０００４】
しかし、特許文献１に記載のドライバーは、円筒状の保持部材がドライバー軸を自由に摺動するために、円筒状の保持部材を所望の位置に維持することが困難である。また、特許文献２乃至６に記載のドライバーは、バネの弾性力により円筒状の保持部材をドライバー軸に対してスライドさせるようにしている。このため、ビスを回すときには、バネの弾性力に抗してドライバーをビスの頭部に押し付ける必要があり、ドライバーを回す力以外に押し付ける力も必要となり長時間の作業が困難になると共に、ドライバー軸の先端部とビスの頭部との係合が不安定になるという課題があった。
【０００５】
そこで、本発明は、簡単な構成によりビスを確実に保持することができ、ビスの着脱時にビスの落下を防止することができるドライバーを提供するものである。
【課題を解決するための手段】
【０００６】
本発明は、上記課題を解決するために、ビスを収容して保持する筒状保持部材をドライバー軸に装着したドライバーであって、前記ドライバー軸に雄螺子を形成すると共に、該雄螺子に螺合する雌螺子を形成した装着部を前記筒状保持部材に設けてなるドライバーを提供するものである。
【０００７】
また、本発明は、前記雄螺子及び雌螺子が右ねじである請求項１に記載のドライバーを提供するものである。
【０００８】
また、本発明は、前記雄螺子及び雌螺子のネジピッチを前記ビスのネジピッチと略同一に形成した請求項２に記載のドライバーを提供するものである。
【０００９】
また、本発明は、前記筒状保持部材の外周面に滑り止め部を形成した請求項１乃至３の何れかに記載のドライバーを提供するものである。
【発明の効果】
【００１０】
本発明に係るドライバーによれば、ビスを収容して保持する筒状保持部材をドライバー軸に装着したドライバーであって、前記ドライバー軸に雄螺子を形成すると共に、該雄螺子に螺合する雌螺子を形成した装着部を前記筒状保持部材に設けてなる構成を有することにより、筒状保持部材をドライバー軸に対して回転させて繰り出し量を調節することができ、長さの異なるビスを確実に保持することができると共に、筒状保持部材を所望の繰り出し位置に維持してビスの落下を防止することができる効果がある。
【００１１】
また、本発明は、前記雄螺子及び雌螺子が右ねじである請求項１に記載の構成を有することにより、一般によく使われている右ねじの着脱時に、筒状保持部材を把持しながらビスを締め付ける方向にドライバー軸を回転させたときに、筒状保持部材がドライバー軸に対して後退してビスを筒状保持部材から自動的に繰り出すことができる。また、筒状保持部材を把持しながらビスを弛める方向にドライバー軸を回転させたときに、筒状保持部材がドライバー軸に対して前進してビスを筒状保持部材に自動的に収容して保持することができる効果がある。
【００１２】
また、本発明は、前記雄螺子及び雌螺子のネジピッチを前記ビスのネジピッチと略同一に形成した請求項２に記載の構成を有することにより、筒状保持部材を把持しながらドライバー軸を回転させたときに、ビスのねじ込み量と筒状保持部材のスライド量が略同一になるから、筒状保持部材の先端をビスの取付箇所に当接した安定した状態でビスの着脱をすることができる効果がある。
【００１３】
また、本発明は、前記筒状保持部材の外周面に滑り止め部を形成した請求項１乃至３の何れかに記載の構成を有することにより、筒状保持部材を確実に把持することができる効果がある。
【発明を実施するための最良の形態】
【００１４】
本発明の実施の形態を図示する実施例に基づいて説明する。
本発明に係るドライバー１０は、ビス２０を収容して保持する筒状保持部材３をドライバー軸１に装着してあり、前記ドライバー軸１に雄螺子１ｂを形成すると共に、該雄螺子１ｂに螺合する雌螺子４ｂを形成した装着部４を前記筒状保持部材３に設けてある。
【実施例１】
【００１５】
図示の実施例において、ドライバー１０は、ドライバー軸１とグリップ部２とからなる。図１に示すように、ドライバー軸１の中間部は、先端部１ａよりも大径に形成して雄螺子１ｂを形成してある。ドライバー軸１の先端部１ａの形状は、プラスやマイナス形状に限らず、ビス２０の頭部２１と係合することが可能な様々な形状に形成することができる。また、ドライバー軸１は、図示の実施例のようにグリップ部２に固着したものに限らず、グリップ部や自動回転装置に着脱自在に設けることも可能である。
【００１６】
筒状保持部材３は、ビス２０を収容して保持する筒状の収容部６と、ドライバー軸１に装着する装着部４とから構成してある。筒状保持部材３は、合成樹脂やゴム等の柔軟性を有する絶縁材料で形成してあり、筒状保持部材３を把持して不用意にドライバー軸１を端子部等に接触させたときの感電を防止することができるようにしてある。また、筒状保持部材３は、収容部６に収容したビス２０の頭部２１とドライバー軸１の先端部１ａの係合状態を確認することができるように、透明又は半透明の合成樹脂により形成してあることが好ましい。なお、筒状保持部材３は、図示の実施例のように、円筒形状のものに限らず、多角柱形状等のビス２０を収容して保持することが可能な形状に形成することができる。
【００１７】
図１に示すように、装着部４には、ドライバー軸１に形成した雄螺子１ｂと螺合する雌螺子４ｂを形成してある。図示の実施例において、雄螺子１ｂ及び雌螺子４ｂは右ねじに形成してある。この構成により、筒状保持部材３を把持しながら右ねじのビス２０を締め付ける方向にドライバー軸１を回転させたときに、筒状保持部材３がドライバー軸１に対して後退してビス２０を収容部６から自動的に繰り出すことができる。また、筒状保持部材３を把持しながら右ねじのビス２０を弛める方向にドライバー軸１を回転させたときに、筒状保持部材３がドライバー軸１に対して前進してビス２０を収容部６に自動的に収容して保持することができる。このとき、ビス２０の取付部２２へのねじ込み量と筒状保持部材３のスライド量を略同一にして、筒状保持部材３の先端が取付部２２に当接した安定した状態でビス２０の着脱をすることができるように、雄螺子１ｂ及び雌螺子４ｂのネジピッチは、ビス２０のネジピッチと略同一に形成してあることが好ましい。
【００１８】
また、図示の実施例において、装着部４の外周面には、滑り止め部５を形成してあり、筒状保持部材３の装着部４の外周面を把持しながらドライバー軸１を回転させたときに、筒状保持部材３がドライバー軸１と共に回転しないように構成してある。
【００１９】
次に、本発明に係るドライバーを使用して、取付部２２に取り付けたビス２０を取り外すときの手順を説明する。
図２に示すように、ドライバー軸１の先端部１ａをビス２０の頭部２１と係合させる。筒状保持部材３を回転させて収容部６の先端が取付部２２に当接する位置に合わせる。
そして、一方の手で筒状保持部材３の装着部４の外周面を把持しながら、他方の手でドライバー１０を回してビス２０を弛める。右ねじのビス２０を弛める方向にドライバー軸１を回転させると、図３に示すように、筒状保持部材３がドライバー軸１に対して前進してビス２０を収容部６に自動的に収容して保持することができると共に、収容部６の先端が取付部２２に当接した状態を維持して安定した姿勢でドライバー１０を回すことができる。更にドライバー１０を回して取付部２２からビス２０が抜けたら、図４に示すように、ドライバー軸１の先端部１ａを上方に向けてビス２０を回収する。
【００２０】
また、本発明に係るドライバーを使用して、取付部２２にビス２０を取り付けるときの手順を説明する。
図４に示すように、筒状保持部材３を回転させてドライバー軸１の先端部１ａを収容部６内に位置させる。収容部６にビス２０を収容してビス２０の頭部２１とドライバー軸１の先端部１ａを係合させる。筒状保持部材３を回転させてビス２０の先端が収容部６から僅かに出る位置に調整する。
図３に示すように、収容部６の先端を取付部２２に当接させ、一方の手で筒状保持部材３の装着部４の外周面を把持しながら、他方の手でドライバー１０を回してビス２０を締め付ける。右ねじのビス２０を締め付ける方向にドライバー軸１を回転させると、図２に示すように、筒状保持部材３がドライバー軸１に対して後退してビス２０を収容部６から自動的に繰り出してビス２０を取付部２２にねじ込むことができる。
【図面の簡単な説明】
【００２１】
【図１】本発明に係るケーブル保持装置の一実施例を示す断面図。
【図２】その一実施例の使用状態を示す斜視図。
【図３】その一実施例の使用状態を示す斜視図。
【図４】その一実施例の使用状態を示す斜視図。
【符号の説明】
【００２２】
１  ドライバー軸
１ａ  先端部
１ｂ  雄螺子
２  グリップ部
３  筒状保持部材
４  装着部
４ｂ  雌螺子
５  滑り止め部
６  収容部
１０  ドライバー
２０  ビス
２１  頭部
２２  取付部
【図１】
2007181901.tif 000003
【図２】
2007181901.tif 000004
【図３】
2007181901.tif 000005
【図４】
2007181901.tif 000006